(57)【要約】【課題】タグピンによる隣り合う商品の損傷を防止したタグピン受け構造、並びにこの受け構造を備えた商品吊り下げ具を提供する。【解決手段】弾性線条材によりＴの字状に形成されたタグピン１を受ける受け部材５からなり、受け部材５はダグピンの鉤部４を受け入れる中空部６を備え、中空部６の相対する側壁の一方の側壁８に鉤部４を縮小変形させた姿勢で挿入できる受け孔９が設けられ、他方の側壁１０に受け孔９と同軸的な貫通孔１１が設けられており、貫通孔１１の内径Ｄ１は鉤部４の外径Ｄ２よりも小さく形成され、貫通孔１１の内周面に鉤部４の通過を許す溝１２が設けられているタグピン受け構造にする。【選択図】図３
2020062066.tif 000002
【特許請求の範囲】
【請求項１】
タグピンの鉤部を受け入れる中空部を備えた受け部材を有するタグピン受構造であって、
前記中空部の相対する側壁の一方に前記タグピンの鉤部を変形縮小させた姿勢で挿入できる受け孔が設けられ、他方の側壁に前記受け孔と同軸的な貫通孔が設けられており、
前記貫通孔は、前記タグピンの鉤部の外径よりも小さく形成され、当該貫通孔の内周面に前記タグピンの鉤部の通過を許す溝が設けられているタグピン受け構造。
【請求項２】
タグピンの鉤部を受け入れる中空部を備えた受け部材を有するタグピン受構造であって、
前記中空部の相対する側壁の一方に前記タグピンの鉤部を変形縮小させた姿勢で挿入できる受け孔が設けられ、他方の側壁に前記受け孔と同軸的な貫通孔が設けられており、
前記貫通孔は、前記タグピンの鉤部の外径よりも小さいが当該貫通孔から突き出た前記鉤部を引き込むことにより鉤部を弾性変形させて前記中空部に引き入れることが可能な大きさで形成されているタグピン受け構造。
【請求項３】
請求項１又は請求項２に記載のタグピン受構造と、前記タグピンとからなるタグピン取付構造であって、前記タグピンは、頭部から延びる軸部の先端に前記鉤部を備え、前記軸部並びに鉤部が弾性線条材によりＴの字状に形成されているタグピン取付構造。
【請求項４】
請求項１〜請求項２のいずれかに記載のタグピン受構造が一部に含まれるとともに、商品を吊り下げるフック部が設けられている商品吊り下げ具。
【発明の詳細な説明】
【技術分野】
【０００１】
本発明は、靴下やタオルなどの小物商品を吊り下げて陳列販売する商品吊り下げ具等に用いられるタグピン受け構造、並びにこの受け構造を備えた商品吊り下げ具に関する。
【背景技術】
【０００２】
一般に、スーパーや百貨店等において、靴下やタオルなどの小物商品を樹脂製のタグピンを用いて吊り下げ具に取り付け、陳列棚に吊り下げて展示販売する方法が多く行われている。このような商品吊り下げ具として、例えば特許文献１の第６図や特許文献２で示すものが知られている。
【０００３】
吊り下げ具に使用されるタグピンは、多くの場合、図１の符号１で示すように頭部２から延びる軸部３の先端にＴ型や矢印形の鉤部４を備え、このタグピンの鉤部を特許文献３で示すようなタグガンと呼ばれる打込み工具などを用いて商品と吊り下げ具本体の受孔を突き通すことにより、商品を吊り下げ具本体に保持するようにしている。
【先行技術文献】
【特許文献】
【０００４】
【特許文献１】実開昭５６−１７４５７４号公報
【特許文献２】特開２００３−１６９７３１号公報
【特許文献３】実登３０８０６８０号公報
【発明の概要】
【発明が解決しようとする課題】
【０００５】
しかし、上記タグピンの鉤部は、商品吊り下げ時に商品若しくは吊り下げ具本体の表面から露出するものであり、隣り合う商品の目地やパイルループへ鉤部が引っ掛かって当該商品を傷付け、商品価値を下げてしまうという欠点があった。
【０００６】
そこで本発明は、商品吊り下げ時にタグピンの鉤部が外部に露出することをなくして上記した課題の解決を図ることのできるタグピン受け構造、並びにこの受け構造を備えた商品吊り下げ具を提供することを目的とする。
【課題を解決するための手段】
【０００７】
上記目的を達成するために本発明では次のような技術的手段を講じた。即ち、本発明のタグピン受構造は、タグピンの鉤部を受け入れる中空部を備えた受け部材を有するタグピン受構造であって、前記中空部の相対する側壁の一方に前記タグピンの鉤部を変形縮小させた姿勢で挿入できる受け孔が設けられ、他方の側壁に前記受け孔と同軸的な貫通孔が設けられており、前記貫通孔は、前記タグピンの鉤部の外径よりも小さく形成され、当該貫通孔の内周面に前記タグピンの鉤部の通過を許す溝が設けられているタグピン受け構造の構成とした。
【０００８】
また、本発明は、タグピンの鉤部を受け入れる中空部を備えた受け部材を有するタグピン受構造であって、前記中空部の相対する側壁の一方に前記鉤部を変形縮小させた姿勢で挿入できる受け孔が設けられ、他方の側壁に前記受け孔と同軸的な貫通孔が設けられており、前記貫通孔は、前記タグピンの鉤部の外径よりも小さいが当該貫通孔から突き出た前記鉤部を引き込むことにより鉤部を弾性変形させて前記中空部に引き入れることが可能な大きさで形成されているタグピン受け構造の構成も特徴とする。
【０００９】
また、別の観点からなされて本発明のタグピン取付構造は、上記のタグピン受構造と、前記タグピンとからなるタグピン取付構造であって、前記タグピンは、頭部から延びる軸部の先端に前記鉤部を備え、前記軸部並びに鉤部が弾性線条材によりＴの字状に形成されているタグピン取付構造を特徴とする。
【００１０】
さらに別の観点からなされた本発明の商品吊下げ具は、上記のいずれかに記載のタグピン受構造が一部に含まれるとともに、商品を吊り下げるフック部が設けられていることを特徴とする商品吊り下げ具である。
【発明の効果】
【００１１】
本発明では、上記の構成とすることにより、タグピン使用時にタグピンの鉤部を受け部材の中空部に収納させて外部に露出することをなくすることができる。したがって、受け部材を靴下やタオルなどの小物商品陳列販売用の吊り下げ具として使用することにより、隣り合う商品の目地やパイルループへタグピンの鉤部が引っ掛かって商品を傷付けることを防止することができると共に、外観もスマートに保持することができるといった効果がある。
【図面の簡単な説明】
【００１２】
【図１】本発明の一実施形態である商品吊り下げ具（タグピン受構造を含む）の正面側から見た斜視図。
【図２】上記商品吊り下げ具の背面側から見た斜視図。
【図３】受け部材とタグピンの一部断面図。
【図４】タグピンの取付過程を示す断面図。
【図５】本発明の別実施例を示す断面図。
【図６】本発明の更に別の実施例を示す斜視図。
【発明を実施するための形態】
【００１３】
以下、本発明にかかるタグピンの受け構造（および取付構造）を、靴下やタオルなどの商品を吊り下げて陳列販売する商品吊り下げ具に実施した例に基いて詳細に説明する。
【００１４】
本発明にかかる商品吊り下げ具Ａは、図１並びに図３に示すように、タグピン１と、このタグピンを受ける合成樹脂製の受け部材５との組み合わせから構成される。
タグピン１は、大径の頭部２から延びる軸部３と、この軸部３の先端でＴの字状となるように軸部３と直交して形成された鉤部４とを備えている。前記軸部３並びに鉤部４は弾性線条材により形成され、頭部２と共にポリエチレン等の合成樹脂材により一体成型されている。
【００１５】
前記受け部材５は、ダグピン１の鉤部４を受け入れる中空部６と、掛け止め用のフック部７とが形成されている。中空部６の相対する側壁の一方の側壁８に、タグピンの鉤部４を軸部３に沿って略直線状に縮小変形させた姿勢（図４（ａ）参照）で挿入できる小さな受け孔９が設けられ、他方の側壁１０に前記受け孔９と同軸的な貫通孔１１が設けられている。
【００１６】
前記貫通孔１１の内径Ｄ１は、タグピン１の軸部３を中心とする鉤部４の外径Ｄ２よりもやや小さく形成されている。その寸法は、中空部６に収納された時に鉤部４が容易に脱出できない程度の大きさとするのがよい。更に、貫通孔１１の内周面の相対する位置に２対の溝１２が設けられている。この溝１２は、タグピンの鉤部４の通過を許す深さで形成されている。即ち、相対する溝１２の最深部を結ぶ直径Ｄ３が鉤部４の直径Ｄ２より大きく形成されている。
【００１７】
使用の際は、図４（ａ）に示すように、タグピン１の鉤部４を軸部３に沿って略直線状に縮小変形させた姿勢でタグガンと呼ばれる打込み工具により靴下やタオルなどの商品Ｂを突き通して受け孔９並びに貫通孔１１を貫通させる。貫通孔１１を突き抜けた鉤部４は、図４（ｂ）に示すように元の姿勢に弾性復帰する。
【００１８】
次いで、タグピン１の鉤部４を溝１２の位置にあわせて引き戻すことにより、図４（ｃ）に示すように鉤部４を受け部材の中空部６内に収納する。これにより、鉤部４が外部に露出することがなくなって隣接する商品を引っかけて傷をつけることを防止することができるとともに、吊り下げ具をすっきりとした外観に保持できる。
なお、一度中空部６に収納された鉤部４が溝１２を通って自然に外部に抜け出ることは
難しく、鉤部４の格納状態を継続して保持することができる。
【００１９】
図５は、本発明にかかる商品吊り下げ具の別実施例を示すものである。この実施例では、貫通孔１１の内径Ｄ４が、鉤部４の外径Ｄ２よりも小さいが、当該貫通孔１１から突き出た鉤部４を引き込むことにより鉤部４を図示のように弾性変形させて中空部６に引き込むことが可能な大きさで形成されている。
これにより、鉤部４が貫通孔１１の外側でどの位置にあっても容易に中空部に引き込むことができる。
なお、この実施例では先の実施例のような溝１２を省略することができるが、溝１２を合わせて形成することも可能である。
【００２０】
また、図６に示すように、溝１２の左右側壁部分を切り欠いて、溝１２が受け部材外面側から順次狭くなるように左右対称的な傾斜ガイド面１２ａ、１２ａを形成するのがよい。
これにより、貫通孔１１から突出した鉤部４を中空部に引き戻す操作を容易に行うことができる。
【００２１】
以上本発明の代表的な実施例について説明したが、本発明は必ずしも上記の実施形態に特定されるものではなく、本考案の目的を達成し、請求の範囲を逸脱しない範囲内で適宜修正、変更することが可能である。
【産業上の利用可能性】
【００２２】
本発明は、靴下やタオルなどの小物商品を吊り下げて陳列販売する商品吊り下げ具に利用することができる。  
【符号の説明】
【００２３】
Ａ  商品吊り下げ具
１  タグピン
２  頭部
３  軸部
４  鉤部
５  受け部材
６  中空部
７  フック部
８  中空部の一方の側壁
９  受け孔
１０  中空部の他方の側壁
１１  貫通孔
１２  溝
１２ａ  傾斜ガイド面  
【図１】
2020062066.tif 000003
【図２】
2020062066.tif 000004
【図３】
2020062066.tif 000005
【図４】
2020062066.tif 000006
【図５】
2020062066.tif 000007
【図６】
2020062066.tif 000008